(57)【要約】【課題】  商店・スーパーマーケット・コンビニエンスストア等で包装用に利用されているポリ袋，ビニール袋やレジ袋などをゴミ袋等の収容袋として使用（再使用）できる従来に無い便利な収容袋用ホルダーを提供することにある。【解決手段】  収容袋用ホルダー１０は、リング部２０とこのリング部２０を支える支持部３０とを備える。リング部２０は、収容袋を取り付けるために円形又は多角形に形成された環状の部位である。また、支持部３０は、リング部２０から垂下する１本の支柱３１及び支柱３１の下端からリング部２０と平行に円形又は多角形に形成された環状の架台３５を有するものである。【選択図】  図１
0003163181.tif 000002
【実用新案登録請求の範囲】
【請求項１】
ゴミや食品などの物を収容する収容袋を取り付けるスタンド状のホルダーであって、
収容袋を取り付けるために円形又は多角形に形成された環状のリング部と、
リング部を支えるためにリング部から垂下する１本の支柱及び支柱下端からリング部と平行に円形又は多角形に形成された環状の架台を有する支持部と、
を備えたことを特徴とする収容袋用ホルダー。
【請求項２】
リング部と支持部とが１本の金属線材を折り曲げて形成されていることを特徴とする請求項１記載の収容袋用ホルダー。
【請求項３】
金属線材に被覆材が被覆され、または、金属線材に防錆メッキが施されていることを特徴とする請求項２記載の収容袋用ホルダー。
【考案の詳細な説明】
【技術分野】
【０００１】
本願考案は、商店・スーパーマーケット・コンビニエンスストア等で包装用に利用されているポリ袋，ビニール袋やレジ袋など（その大きさを問わない）を「ゴミ袋」として使用することのできる収容袋用ホルダーに関するものである。
【背景技術】
【０００２】
現代社会では生活全てに無駄を無くす事が必要になってきている。地下資源で作ったビニール袋やポリエチレンで作った袋などは大切に扱わなくてはならない。例えば、スーパー等で食品の包装に使用されてくる透明な薄くて丈夫なポリ袋を家庭に帰って品物を取り出したら直ぐに捨ててしまうのではなく、再使用（リユース）することが重要である。
特許文献１には、そのショッピング袋（レジ袋）をゴミ袋として再使用するゴミ袋ホルダーが開示されている。具体的には、ホルダー本体と、前記ホルダー本体に一定間隔をおいて設けられ、ショッピング袋の把手部を開いた状態で引っ掛けて吊り下げる一対の吊り掛け部と、机の横板等の固定部材に係入してホルダー本体を保持する係止保持部とを備えているゴミ袋ホルダーである。
【先行技術文献】
【特許文献】
【０００３】
【特許文献１】特開平９−２９０９０１号公報
【考案の概要】
【考案が解決しようとする課題】
【０００４】
しかしながら、特許文献１に開示されたゴミ袋ホルダーは、机の横板等の固定部材に係止して使用されるものであるために、固定部材のない場所では使用できないという重大な欠点があった。
これに対して、本願考案者は、商店・スーパーマーケット・コンビニエンスストア等で包装用に利用されているポリ袋，ビニール袋やレジ袋などをゴミ袋等の収容袋として使用（再使用）できる従来に無い便利な収容袋用ホルダーを提供すべく、本願考案を完成させるに至った。
【課題を解決するための手段】
【０００５】
本願考案の第１の考案は、ゴミや食品などの物を収容する収容袋を取り付けるスタンド状のホルダーであって、収容袋を取り付けるために円形又は多角形に形成された環状のリング部と、リング部を支えるためにリング部から垂下する１本の支柱及び支柱下端からリング部と平行に円形又は多角形に形成された環状の架台を有する支持部と、を備えたことを特徴とする収容袋用ホルダーである。
第２の考案は、リング部と支持部とが１本の金属線材を折り曲げて形成されていることを特徴とする同収容袋用ホルダーである。
第３の考案は、金属線材に被覆材が被覆され、または、金属線材に防錆メッキが施されていることを特徴とする同収容袋用ホルダーである。なお、金属線材にステンレス素材のものを使用して錆びない構造にしてもよい。
【考案の効果】
【０００６】
本願考案に係る収容袋用ホルダー（本願ホルダー）よれば、以下の効果を有する。
（１）主にキッチンのシンク隅に置いて生ゴミ入れとして使用することが想定されているが、洗面台・浴室などの水回りやその他の生活空間に置いてゴミ入れとして使用することができる。
（２）セットした収容袋に物（ゴミなど）を投入すると物の重量で収容袋の底はシンク等の設置面に接地するが、重量は一切本願ホルダーにかからない。その上、ゴミの量によって収容袋だけが膨らむが、本願ホルダーは一本の金属線材（針金等）を折り曲げて形成されているので弾力性があり撓って復元性がある。このため、シンク内に鍋などの水を一度に流しても本願ホルダーは簡単には転倒せず、収容袋の中のゴミが飛び出すこともない。
（３）金属線材に塩化ビニール等の被覆材が被覆されているためにシンクの隅に置いても直接生ゴミに触れないため汚れが付きにくく、素早く簡単に洗うことができる。
（４）収容袋を１枚ではなく数枚重ねてセットして置けば、順次ゴミが一杯になったゴミ袋のみを取り出せばよく、その都度収容袋をセットせずにそのまま使用できる。
【０００７】
（５）また、本願ホルダーは、ゴミ袋（ゴミ入れ）として使用する以外にも、カレーや煮物等の冷凍保存などに使用する保存袋（ナイロン袋等）にレードル（お玉）で袋に入れる場合にも使用できる。すなわち、ファスナー付きの保存袋などへは一人では上手に入れられないが、本願ホルダーを使用することで、両手が空いて上手に入れられる。そして、大きな袋に沢山入れても袋が物の重さで広がるが、本願ホルダーは「弾力性」と「一本足」のために袋の広がりを邪魔せずに転倒することなく、また品物をレードルで入れても上部のファスナー部分を汚さない。
【図面の簡単な説明】
【０００８】
【図１】本願ホルダーの全体構造を示す斜視図。
【図２】本願ホルダーの使用状態を示す斜視図（その１）。
【図３】本願ホルダーの使用状態を示す斜視図（その２）。
【考案を実施するための形態】
【０００９】
本願考案に係る「収容袋用ホルダー」を図面に基づいて説明する。
まず、図１は、本願ホルダーの全体構造を示す斜視図である。図１に示すように、本願ホルダー１０は、リング部２０とこのリング部２０を支える支持部３０とを備える。リング部２０は、収容袋を取り付けるために円形又は多角形に形成された環状の部位である。また、支持部３０は、リング部２０から垂下する１本の支柱３１及び支柱３１の下端からリング部２０と平行に円形又は多角形に形成された環状の架台３５を有するものである。
【００１０】
ここで、リング部２０と支持部３０は１本の金属線材を折り曲げて形成されるとともに、その金属線材には被覆材が被覆されている。例えば、塩化ビニールで被覆させた直径０．５ミリから３ミリの金属製の針金で直径１５０ミリの輪を作り高さ１５０ミリにして、直径１００ミリの輪を作る。そして、１５０ミリの輪をリング部２０として、１００ミリの輪を架台３５として立てるとよい。このリング部２０となる１５０ミリの輪にポリ袋を上から入れ、５０ミリぐらい余らせて外側に被せると、ゴミ袋用ホルダーとなる。
【００１１】
次に、図２は、本願ホルダーの使用状態を示す斜視図（その１）である。
本願ホルダー１０にスーパー等から貰った薄い袋５０をセットする。袋５０は１枚ではなく数枚重ねてセットしてもよい（図示は１枚のみ）。本願ホルダー１０に袋５０の口だけを引っ掛けるので、袋５０に物（ゴミ等）を投入すると物の重量で袋５０の底はシンクに接地するが、重量は一切本願ホルダー１０にかからない。また、ゴミの量によって袋５０だけが膨らむが、本願ホルダー１０は弾力性があるために撓って復元性があり、シンク内に鍋などの水を一度に流しても本願ホルダー１０は簡単に転倒することはなく、また物も出てこない。
【００１２】
スーパーから貰った袋が必要なくなりそのまま捨ててしまったらゴミの量は増えるが、その袋にゴミを入れればゴミの分別にも役立ち、シンク内の隅に置いておけば調理ゴミの整理整頓にもなりゴミの入った袋を分別ゴミにそのまま投入できる。
【００１３】
また、金属製の針金に塩化ビニール等が被覆されているために流しの隅に置いても針金が直接生ゴミに触れないので汚れが付きにくく、素早く簡単に洗う事ができる。これに対して、市販されている三角コーナーはゴミを直接入れるので網目が汚れやすく生ゴミなどの汚れが付きやすく、臭いも出やすい。なお、ポリ袋を数枚重ねてセットして置けば、順次ゴミが一杯になれば取り出しまた新しいポリ袋が出て使用できる（ポリ袋をセットする手間が省ける）。
【００１４】
さらに、図３は、本願ホルダーの使用状態を示す斜視図（その２）である。
図３に示す本願ホルダー１０は、カレーや煮物等の冷凍保存などに使用する保存袋（ナイロン袋等）５５にレードル（お玉）７０で保存食品を入れる場合に使用したものである。まず、ファスナー５６付の保存袋５５を本願ホルダー１０に取り付ける（Ａ）。これにより、保存袋５５を持つ必要が無くなり、両手が空く。そして、次に、口の大きく空いた保存袋５５にカレーや煮物等の冷凍保存する保存食品６０を入れる（Ｂ）。ファスナー付の保存袋へは一人では上手に入れられないが、本願ホルダー１０を使用することで上手に入れられる。また、大きな袋に沢山入れると袋が物の重さで広がるが、本願ホルダー１０は「弾力性」と「一本足」のために袋の広がりを邪魔せずに転倒することなく、また保存食品６０をレードル７０で入れても上部のファスナー５６部分を汚さずに確実に閉じることができる（Ｃ）。
【００１５】
以上のような本願ホルダー１０は、無駄を無くすことを主眼にしているので、ホルダーを製作する上で高価になってはならない。材料や加工代金が高額になっては本末転倒であるから、安価な材料を少量使って製作可能なようになっている。また、材料が少なくて済む上に清潔感が有り、長期に使用でき、場所を取らず扱いが簡単で容易、無料で貰った袋を有効利用できるものである。
【産業上の利用可能性】
【００１６】
本願考案に係る「収容袋用ホルダー」は以下の用途に利用できるが、これに限定されるものではない。
（１）ゴミ袋用ホルダー
（２）保存袋用ホルダー
（３）その他
【符号の説明】
【００１７】
１０  収容袋用ホルダー（本願ホルダー）
２０  リング部
３０  支持部
３１  支柱
３５  架台
５０  袋（ゴミ袋）
５５  袋（保存袋）
５６  ファスナー
６０  保存食品
７０  レードル（お玉）
【図１】
0003163181.tif 000003
【図２】
0003163181.tif 000004
【図３】
0003163181.tif 000005